(57)【要約】この発明は第一ネットワークおよび第二ネットワークを含むテレフォニシステムにむけられている。システムは第一ネットワークに対してインテリジェントネットワーク制御サービスを提供するよう設定された第一ネットワーク呼び出し制御システムを含む。第一ネットワーク呼び出し制御システムはインテリジェントネットワーク制御サービスに対応したインテリジェントネットワーク制御データを格納するようまた設定されている。第二ネットワーク呼び出し制御システムは第二ネットワークに対して制御サービスを提供するよう設定されている。安全チャネルは第一ネットワーク呼び出し制御システムを第二ネットワーク呼び出し制御システムに接続する。安全チャネルは、第一ネットワーク呼び出し制御システムから第二ネットワーク呼び出し制御システムに対して、インテリジェントネットワーク制御データを安全に送信するよう設定されている。その結果、第二ネットワーク呼び出し制御システムは第二ネットワークに対してインテリジェントネットワーク制御サービスを提供する。
2004530333.tif 000002
【特許請求の範囲】
【請求項１】
第一ネットワークと第二ネットワークとを含むテレフォニシステムであって、システムは、
第一ネットワークに対してインテリジェントネットワーク制御サービスを提供するよう設定された第一ネットワーク呼び出し制御システムを含み、第一ネットワーク呼び出し制御システムは、インテリジェントネットワーク制御サービスに対応するインテリジェントネットワーク制御データを格納するようまた設定され、
第二ネットワークに対して制御サービスを提供するよう設定された第二ネットワーク呼び出し制御システムと、
第一ネットワーク呼び出し制御システムを第二ネットワーク呼び出し制御システムに接続するための安全チャネルを含み、安全チャネルは、第一ネットワーク呼び出し制御システムから第二ネットワーク呼び出し制御システムにインテリジェントネットワーク制御データを安全に送信するよう設定され、それによって、第二ネットワーク呼び出し制御システムは第二ネットワークに対してインテリジェントネットワーク制御サービスを提供する、システム。
【請求項２】
第一ネットワークは回線交換ネットワークを含む、請求項１に記載のシステム。
【請求項３】
第二ネットワークはパケット交換ネットワークを含む、請求項１に記載のシステム。
【請求項４】
第一ネットワーク呼び出し制御システムはレガシーテレフォニサービス制御システムを含む、請求項１に記載のシステム。
【請求項５】
第一ネットワーク呼び出し制御システムはサービス制御ポイント（ＳＣＰ）を含む、請求項４に記載のシステム。
【請求項６】
第一ネットワーク呼び出し制御システムはデータアクセスポイント（ＤＡＰ）を含む、請求項４に記載のシステム。
【請求項７】
インテリジェントネットワーク制御サービスは仮想私設網（ＶＮＥＴ）サービスを含む、請求項４に記載のシステム。
【請求項８】
インテリジェントネットワーク制御サービスは８００番ネットワークサービスを含む、請求項４に記載のシステム。
【請求項９】
インテリジェントネットワーク制御サービスは呼び出し転送ネットワークサービスを含む、請求項４に記載のシステム。
【請求項１０】
インテリジェントネットワーク制御サービスは私的ダイヤリングプラン特性を含む、請求項４に記載のシステム。
【請求項１１】
インテリジェントネットワーク制御サービスはカスタム化されたメッセージアナウンス特性を含む、請求項４に記載のシステム。
【請求項１２】
インテリジェントネットワーク制御サービスはネットワーク呼び出しリダイレクトサービスを含む、請求項４に記載のシステム。
【請求項１３】
インテリジェントネットワーク制御サービスはＶＮＥＴネットワーク管理サービスを含む、請求項４に記載のシステム。
【請求項１３】
請求項１３Ａ  第二ネットワーク呼び出し制御システムは、レガシーテレフォニサービス制御システムと第二ネットワーク呼び出し制御システム間の通信がレガシーテレフォニサービス制御システムに対してトランスピアレントであるように第一ネットワークシステムをエミュレートする、請求項４に記載のシステム。
【請求項１４】
安全チャネルは第一ネットワークインテリジェントネットワークサービス制御システムと第二ネットワーク呼び出し制御システムとの間の論理データ経路を含む、請求項１に記載のシステム。
【請求項１５】
安全チャネルが、第一ネットワークインテリジェントネットワークサービス制御システムと第二ネットワーク呼び出し制御システムとの間のＩＰ安全トンネルを含む、請求項１に記載のシステム。
【請求項１６】
ＩＰ安全トンネルは認証ヘッダ（ＡＨ）プロトコルを使用する、請求項１５に記載のシステム。
【請求項１７】
ＩＰ安全トンネルはカプセル化した安全ペイロード（ＥＳＰ）認証ヘッダプロトコルを使用して確立される、請求項１６に記載のシステム。
【請求項１８】
カプセル化した安全ペイロード認証ヘッダプロトコルは、可能化された非０暗号化モードを含む、請求項1７に記載のシステム。
【請求項１９】
カプセル化した安全ペイロード認証ヘッダプロトコルは、可能化されたリプレイアタック防止モードを含む、請求項1７に記載のシステム。
【請求項２０】
ＩＰ安全トンネルは暗号的にハッシュされた認証プロトコルを使用して確立される、請求項１６に記載のシステム。
【請求項２１】
暗号的にハッシュされた認証プロトコルはＭＤ５ハッシュアルゴリズムを採用する、請求項２０に記載のシステム。
【請求項２２】
ＩＰ安全トンネルはＩＰネットワーク物理層を含む、請求項１６に記載のシステム。
【請求項２３】
ＩＰネットワーク物理層はさらに、
第一ネットワークインテリジェントネットワークサービスコントロールシステムに接続された第一ネットワークルータを含み、第一ネットワークルータはＩＰ安全トンネルプロトコルをサポートするよう設定され、
第二ネットワーク呼び出し制御システムに接続された第二ネットワークルータを含み、第二ネットワークルータはＩＰ安全トンネルプロトコルをサポートするよう設定され、
第一ネットワークルータおよび第二ネットワークルータを接続するパケット交換ネットワークを含む、請求項２２に記載のシステム。
【請求項２４】
第一ネットワークおよび第二ネットワーク含むテレフォニシステムであって、システムは、
インテリジェントネットワーク制御データを格納するよう設定された第一ネットワーク呼び出し制御システムを含み、第一ネットワーク呼び出し制御システムはインテリジェントネットワークサービスを第一ネットワークに提供するようインテリジェントネットワーク制御データを使用するように設定され、
第二ネットワークに対して呼び出し制御サービスを提供するよう設定された少なくとも一つの第二ネットワークＩＰテレフォニプロキシサーバと、
第二ネットワークＩＰテレフォニプロキシサーバに接続された第二ネットワーク位置マネージャを含み、第二ネットワーク位置マネージャは、第二ネットワークにおいてＩＰアドレスマッピングを実行するよう設定され、
第一ネットワーク呼び出し制御システムを第二ネットワーク位置マネージャに接続するための安全チャネルを含み、安全チャネルは、第一ネットワークサービス制御システムから第二ネットワーク位置マネージャに対して安全にインテリジェントネットワークサービス制御データを送信するよう設定され、それによって、インテリジェントネットワーク制御サービスが第二ネットワークに提供される、システム。
【請求項２５】
第二ネットワーク位置マネージャは、少なくとも一つの第二ネットワークＩＰテレフォニプロキシサーバから受信した呼び出し制御要求を第一ネットワークサービス制御システムへのサービス制御問合せにマップ化するよう設定される、請求項２４に記載のシステム。
【請求項２６】
第二ネットワーク位置マネージャは、インテリジェントネットワーク制御データを、少なくとも一つの第二ネットワークＩＰテレフォニプロキシサーバに提供する時、インテリジェントネットワークサービス制御データをＩＰアドレスにマップ化するよう設定される、請求項２４に記載のシステム。
【請求項２７】
少なくとも一つの第二ネットワークＩＰテレフォニプロキシサーバはＩＰテレフォニセッション制御メッセージを処理するよう設定されている、請求項２４に記載のシステム。
【請求項２８】
少なくとも一つの第二ネットワークＩＰテレフォニプロキシサーバはセッション開始プロトコル（ＳＩＰ）に従ってＩＰテレフォニセッション制御メッセージを処理するよう設定されている、請求項２７に記載のシステム。
【請求項２９】
少なくとも一つの第二ネットワークＩＰテレフォニプロキシサーバはＨ．３２３プロトコルに応じてＩＰテレフォニセッション制御メッセージを処理するよう設定されている、請求項２７に記載のシステム。
【請求項３０】
安全チャネルは第一ネットワーク呼び出し制御システムと第二ネットワーク位置マネージャとの間の論理データ経路を含む、請求項２４に記載のシステム。
【請求項３１】
安全チャネルは第一ネットワーク呼び出し制御システムと第二ネットワーク位置マネージャとを接続するＩＰ安全トンネルを含む、請求項２４に記載のシステム。
【請求項３２】
ＩＰ安全トンネルは認証ヘッダプロトコルを使用して確立される、請求項３１に記載のシステム。
【請求項３３】
ＩＰ安全トンネルはカプセル化した安全ペイロード認証ヘッダプロトコルを使用して確立される、請求項３１に記載のシステム。
【請求項３４】
ＩＰ安全トンネルは暗号化的にハッシュされた認証プロトコルを使用して確立される、請求項３１に記載のシステム。
【請求項３５】
第一ネットワークは回線交換ネットワークを含む、請求項２４に記載のシステム。
【請求項３６】
第一ネットワーク呼び出し制御システムはレガシーテレフォニサービス制御システムを含む、請求項２４に記載のシステム。
【請求項３７】
第一ネットワーク呼び出し制御システムはサービス制御ポイント（ＳＣＰ）を含む、請求項２４に記載のシステム。
【請求項３８】
第一ネットワーク呼び出し制御システムはデータアクセスポイント（ＤＡＰ）を含む、請求項２４に記載のシステム。
【請求項３９】
インテリジェントネットワーク制御サービスは仮想私設網サービスを含む、請求項２４に記載のシステム。
【請求項４０】
インテリジェントネットワーク制御サービスは８００番ネットワークサービスを含む、請求項２４に記載のシステム。
【請求項４１】
第二ネットワークに第一ネットワークサービス制御システムに格納されたインテリジェントネットワークサービス制御データを提供するための方法であって、方法は、
第二ネットワークＩＰプロキシサーバでＩＰテレフォニセッション開始要求を受信するステップと、
セッションを開始するためにインテリジェントネットワークサービス情報が必要かどうかを判定するステップと、
セッションを開始するためにインテリジェントネットワークサービス情報が必要であると判定された時、第二ネットワークＩＰプロキシサーバから第二ネットワーク位置マネージャにＩＰテレフォニセッション開始要求を送信するステップと、
第二ネットワーク位置マネージャと第一ネットワークサービス制御システムとの間で安全チャネルを生成するステップとを含み、安全チャネルは、第一ネットワークサービス制御システムから第二ネットワーク位置マネージャにインテリジェントネットワークサービス制御データを安全に送信するよう設定されている、方法。
【請求項４２】
安全チャネルは、第一ネットワークサービス制御システムと第二ネットワーク位置マネージャとの間で論理データ経路を確立することによって生成される、請求項４１に記載の方法。
【請求項４３】
第二チャネルは、第一ネットワークサービス制御システムと第二ネットワーク位置マネージャとの間でＩＰ安全トンネルを確立することによって生成される、請求項４１に記載の方法。
【請求項４４】
ＩＰ安全トンネルは、第一ネットワークサービス制御システムと第二ネットワーク位置マネージャとの間に認証ヘッダプロトコルを使用して通信されたパケットをカプセル化することによって確立される、請求項４３に記載の方法。
【請求項４５】
ＩＰ安全トンネルは、カプセル化された安全ペイロード認証ヘッダプロトコルを使用して、第一ネットワークサービス制御システムと第二ネットワーク位置マネージャとの間で通信されたパケットをカプセル化することによって確立される、請求項４３に記載の方法。
【請求項４６】
カプセル化した安全ペイロード認証ヘッダプロトコルトンネルは可能化されたゼロでない暗号化モードを含む、請求項４５に記載の方法。
【請求項４７】
カプセル化した安全ペイロード認証ヘッダプロトコルトンネルは可能化されたリプレイ攻撃防止モードを含む、請求項４５に記載の方法。
【請求項４８】
ＩＰ安全トンネルは暗号的にハッシュされた認証プロトコルを使用して第一ネットワークサービス制御システムと第二ネットワーク位置マネージャとの間で通信されたパケットを暗号化することによって確立される、請求項４３に記載の方法。
【請求項４９】
暗号化的にハッシュされた認証プロトコルはＭＤ５ハッシュアルゴリズムを採用する、請求項４８に記載の方法。
【請求項５０】
第二ネットワークＩＰプロキシサーバからＩＰテレフォニセッション開始要求を受信するのに応答して第二ネットワーク位置マネージャから第一ネットワークサービス制御システムにインテリジェントネットワークサービス制御問合せを送信するステップをさらに含む、請求項４１に記載の方法。
【請求項５１】
第一ネットワークサービス制御システムからの返答に応答して、第二ＩＰネットワーク位置マネージャから第二ネットワークＩＰプロキシサーバへＩＰセッション制御メッセージを送信するステップをさらに含む、請求項５０に記載の方法。
【請求項５１】
請求項５１Ａ  第一ネットワーク呼び出し制御システムはレガシーテレフォニサービス制御システムを含む、請求項４１記載の方法。
【請求項５１】
請求項５１Ｂ  第二ネットワーク呼び出し制御システムは、レガシーテレフォニサービス制御システムと第二ネットワーク呼び出し制御システムとの間の通信がレガシーテレフォニサービス制御システムに対してトランスぺアレントであるように第一ネットワークシステムをエミュレートする、請求項５１Ａに記載の方法。
【発明の詳細な説明】
【発明の背景】
【０００１】
１．発明の分野
この発明はボイスオーバーパケット（ＶｏＰ）テレフォニ(telephony)の分野に一般に関し、ＩＰテレフォニにおいてインテリジェントネットワーク制御サービスを提供することに特に関する。
２．技術的背景
過ぎ去った世紀のほとんどにおいて、ほとんどのテレフォニサービスは回線交換ネットワークによって提供されてきた。パケット交換テレフォニは比較的最近の開発である。例えば、インターネットテレフォニはインターネット電話ソフトウェアの導入と共に１９９０年代の中頃に始まった。インターネットテレフォニは音声および他のマルチメディアをインターネットプロトコル（ＩＰ）を使用して２以上の当事者間でネットワークを介して音声および他のマルチメディアデータをリアルタイムに配送する。インターネット電話ソフトウェアは音声カード、スピーカー、マイクロフォンおよびモデム付きの、またはＬＡＮを介してインターネットに直接接続されたパーソナルコンピューター上で実行されるよう設計されている。ソフトウェアは音声信号を圧縮し、インターネット上で送信のためにパケットにそれを変換する。しかしながら、この基本的なＰＣ間のインターネットテレフォニは、両当事者がインターネット電話ソフトウェアを使用している場合にのみ作動する。
【０００２】
インターネットテレフォニまたはボイスオーバーＩＰネットワーク（ＶｏＩＰ）は既存の回線交換テレフォニインフラストラクチャを結局置き換えるかもしれない、世界的なマルチメディア通信システムを設計するための機会を提供する。比較的短い期間で、インターネットテレフォニがかなりの進化をした。多くソフトウェア開発者が今やＰＣテレフォニソフトウェアを提供している。インターネットテレフォニはネットワークにおいて二つの論理アドレス間で通信セッションを確立することを含む。一般に、Ｈ．３２３またはセッション開始プロトコル（ＳＩＰ）のような第一インターネットプロトコルがセッションの確立およびセッションのための能力を交渉するために使用され、リアルタイムトランスポートプロトコル（ＲＴＰ）のような第二インターネットプロトコルがＩＰネットワークを介して実際の媒体を輸送するために使用される。
【０００３】
パケット交換テレフォニはコストおよび媒体の形式の多様性をいう点でユーザーおよびキャリヤの両方に利益を提供するが、公衆交換電話網によってサービスが提供される従来の電話には相当の設置ベースが存在する。さらに、その広く行き渡った特性に加えて、ＰＳＴＮは、「８００」番号サービス、仮想施設網(Virtual Private Network)（ＶＮＥＴ）サービス、呼び出し転送等の豊富なインテリジェントネットワークのセットを提供する。ＩＰテレフォニおよびＰＳＴＮは一時期共存するであろう。このように、インターネットおよび私的イントラネットを含む、ＰＳＴＮとＩＰネットワークとを統合する要望が存在する。
【０００４】
ＰＳＴＮとパケット交換テレフォニの統合の進化は図１および図２において見られうる。図１は二つの別の自己完結式ネットワーク、ＰＳＴＮ１００およびパケット交換ネットワーク１を示す。各々は別の呼び出し制御資源を含み、各々は別の送信設備を含む。図１に示された例においては、ＰＳＴＮ１００は二つのサイトを有する顧客に対して仮想施設網（ＶＮＥＴ）を提供する。スイッチ１０２でＰＢＸ１４とＰＢＸ１４´との間に回路が確立される。ダイヤルプラン情報、番号変換およびＶＮＥＴを維持するために要求される他の呼び出し制御データのすべてがレガシー(legacy)サービス制御実体４０によって提供される。パケット交換ネットワーク１はパケット交換テレフォニセッションがＩＰ電話１８とＩＰ電話１８´との間で確立されることを許容する。ＩＰ電話１８はルータ８と接続され、ＩＰ電話１８´はルータ８´に接続されている。呼び出し制御は呼び出し制御プロキシサーバ２０によって提供される。位置マネージャ３０はダイヤルプラン情報、ユーザプロフィールおよびパケット交換テレフォニセッションを確立および維持するための制御実体２０によって要求される他のデータを格納する。呼び出し制御サーバ２０および位置マネージャ３０は、例えば、２以上のハードウェア要素の上で二つの別のシステムが実行するように、示されているように実施されてもよいが、当業者は、呼び出し制御サーバ２０と位置マネージャ３０とはひとつの論理および／または物理的システムに結合されてもよいということを認識する。ＳＩＰサーバは呼び出し制御サーバ２０と位置マネージャ３０の結合された機能性を有するサーバに対して使用される一般的な名称である。
【０００５】
図２は統合されたネットワーク１０を形成する時の第１ステージを示す。企業ゲートウェイ１６はルータ８でＰＢＸ１４を接続するために導入される。ゲートウェイ１６はＰＢＸ１４およびＩＰ電話１８に接続された電話１２間でクロスオーバー呼び出しを許容する。信号送信および媒体変換の両方がゲートウェイ１６によって処理される。このように、ＰＳＴＮに基づく電話１２で始まる呼び出しは、ＰＢＸ１４´に接続されたＩＰ電話１８またはＰＢＸ電話１２´のどちらかの第２電話に結局の所配送されるために、ＩＰネットワークによって部分的に送信される。不幸なことに、図２に示されている統合システムには限界がある。図２に示された統合ネットワークはネットワーク間でクロスオーバーする呼び出しを許容するが、呼び出し制御データは分離され、個々のネットワークによっては共有されない。
【０００６】
図２に示された統合システムに関する一つの問題は、顧客がＰＳＴＮ１００およびＩＰネットワーク１の両方にわたる設備を有している時、ＶＮＥＴ（またはレガシーシステムサービス）をサポートすることの困難さに関係する。今まで考えられてきた一つのアプローチは、各ネットワークに一つという、二つのインテリジェントネットワークシステムを維持することである。しかしながら、二重のインテリジェントネットワークシステムの使用は問題がある。レガシー呼び出し制御実体４０および位置マネージャ３０は常に同期していなければならない。両方のシステムが同一のデータの組を有していることを確実にすることは運搬上非常に問題である。もし一方のシステムがほんの一時的にも他のシステムと分岐すると、呼び出しは誤った経路を取り、あるＶＮＥＴからまったく異なるＶＮＥＴへ向けられる。このように、呼び出し制御データの単一体から所与の顧客をサポートすることが望ましい。レガシー呼び出し制御システムは十分確立されているため、必要なのは古い仕様ベースの呼び出し制御データをＩＰネットワークに導入することである。しかしながら、このアプローチに関する欠点もある。
【０００７】
ＰＳＴＮにおいて、信号送信情報およびメッセージペイロード（例えば音声）は異なるシステムによって搬送される。ＰＳＴＮに基づくインテリジェントネットワークサービスをＩＰテレフォニ呼び出しに提供する際の一つの欠点は、信号送信情報およびメッセージペイロードの両方が同じ乗り物、例えば、パケットによって搬送されるという事実に関する。その結果、ＩＰテレフォニはＰＳＴＮには存在しない多くの形式の安全の問題を有する。安全に対する攻撃の一つの形式は一般にＩＰスプーフィング(spoofing)と呼ばれている。ＩＰスプーフィングは、パケットが正当なネットワークアドレスから来たというように見せるために、パケットＩＰアドレスを変更することによって、ネットワークおよびネットワークサービスに対するアクセスを得ようとする試みである。別の安全上の問題は、パケットのヘッダまたはＩＰデータペイロードを操作することによってセッションを選出（co-opt)することを含む。必要なのはＩＰテレフォニ呼び出しに対するすべてのＰＳＴＮに基づくインテリジェントネットワークサービスを提供するための安全な方法およびシステムである。
【０００８】
この発明はＩＰネットワークからレガシーに基づく呼び出し制御データにアクセスするための方法およびシステムに向けられている。そうするときに、この発明はＩＰテレフォニ呼び出しに対してすべてのＰＳＴＮに基づくインテリジェントネットワークサービスを提供するための安全な方法およびシステムをまた提供する。
【０００９】
この発明のある局面は、第一トランスポートネットワークおよび第二輸送ネットワークを有するテレフォニシステムである。システムは第一ネットワークに対してインテリジェントネットワーク制御サービスを提供するよう設定された第一ネットワーク呼び出し制御システムを含む。第一ネットワーク呼び出し制御システムはインテリジェントネットワーク制御サービスに対応したインテリジェントネットワーク制御データを格納するようまた設定されている。第二ネットワーク呼び出し制御システムは第二ネットワークに対して制御サービスを提供するよう設定されている。安全チャネルが第一ネットワーク制御呼び出しシステムを第二ネットワーク呼び出し制御システムに接続する。安全チャネルは第一ネットワーク呼び出し制御システムから第二ネットワーク呼び出し制御システムへ安全にインテリジェントネットワーク制御データを送信するよう設定され、それによって、第二ネットワーク呼び出し制御システムは第二ネットワークに対してインテリジェントネットワーク制御サービスを提供する。
【００１０】
別の局面においては、この発明は第一ネットワークおよび第二ネットワークを有するテレフォニシステムを含む。システムはインテリジェントネットワーク制御データを格納するよう設定された第一ネットワーク呼び出し制御システムを含む。第一ネットワーク呼び出し制御システムは第一ネットワークに対してインテリジェントネットワークサービスを提供するためにインテリジェントネットワーク制御データを使用するよう設定されている。少なくとも一つの第二ネットワークＩＰテレフォニプロキシサーバは第二ネットワークに対して呼び出し制御サービスを提供するよう設定されている。第二ネットワーク位置マネージャは第二ネットワークＩＰテレフォニプロキシサーバに接続されている。第二ネットワーク位置マネージャは第二ネットワークにおいてＩＰアドレスマッピングを実行するよう設定されている。安全チャネルは第一ネットワーク呼び出し制御システムを第二ネットワーク位置マネージャに接続する。安全チャネルは第一ネットワークサービスコントロール制御システムから第二ネットワーク位置マネージャへ安全にインテリジェントネットワークサービス制御データを送信するよう設定されている。それによって、インテリジェントネットワーク制御サービスは第二ネットワークに提供される。
【００１１】
別の局面においては、この発明は第二ネットワークに、第一ネットワークサービス制御システムに格納された、インテリジェントネットワークサービス制御データを提供する方法を含む。方法は第二ネットワークＩＰプロキシサーバでＩＰテレフォニセッション開始要求を受信するステップを含む。インテリジェントネットワークサービス情報がセッションの開始に必要かどうかをそれから判定する。インテリジェントネットワークサービス情報がセッションの開始に必要であると判定された時、ＩＰテレフォニセッション開始要求は、第二ネットワークＩＰプロキシサーバから第二ネットワーク位置マネージャに対して送信され、第二ネットワーク位置マネージャと第一ネットワークサービス制御システムとの間で安全チャネルが生成される。安全チャネルは第一ネットワークサービス制御システムから第二ネットワーク位置マネージャへ、安全にインテリジェントネットワークサービス制御データを送信するよう設定されている。
【００１２】
発明の追加の特徴および利点は詳細な説明に述べられ、その説明から当業者にとって部分的に容易に明らかであり、または、ここで述べられている発明を実施することによって認識され、これに続いて、添付の図面およびクレームが続く。
【００１３】
上記一般の説明および以下の詳細な説明は発明の単なる模範的なものであり、クレームされている発明の性質および特性を理解するための概観またはフレームワークを提供するものとして意図されているということが理解される。添付の図面は発明のさらなる理解を提供するために含まれ、この明細書の一部を構成するものとして合体される。図面は発明の各種実施例を例示し、説明と共に発明の原理および動作を説明するために役立つ。
【詳細な説明】
【００１４】
添付の図面に例示されている例の、発明の模範的な実施例の詳細を参照する。可能な限り、同じ参照番号が同じまたは同様の部品を参照するために図面を通して使用される。この発明のテレフォニシステムの模範的な実施例が図３に示され、全体的に一般に参照番号１０で表されている。
【００１５】
発明に従って、この発明は第一ネットワークおよび第二ネットワークを含むテレフォニシステムに向けられている。システムは第一ネットワークに対してインテリジェントネットワーク制御サービスを提供するよう設定された第一ネットワーク呼び出し制御システムを含む。第一ネットワーク呼び出し制御システムはインテリジェントネットワーク制御サービスに対応したインテリジェントネットワーク制御データを格納するよう設定されている。第二ネットワーク呼び出し制御システムは第二ネットワークに対して制御サービスを提供するよう設定されている。安全チャネルが第一ネットワーク呼び出し制御システムを第二ネットワーク呼び出し制御システムに接続する。安全チャネルが第一ネットワーク呼び出し制御システムから第二ネットワーク呼び出し制御システムにインテリジェントネットワーク制御データを安全に送信するよう設定されている。その結果、第二ネットワーク呼び出し制御システムは第二ネットワークに対してインテリジェントネットワークサービスを提供する。このように、この発明はＩＰテレフォニ呼び出しに対してＰＳＴＮに基づくインテリジェントネットワークサービスを提供するためのシステム安全なシステムおよび方法を提供する。
【００１６】
ここに具体化され図３に示されているように、この発明の第一実施例に従う統合されたネットワーク１０のブロック図が開示されている。図３はＰＳＴＮネットワーク１００をＩＰネットワーク１と統合した時の別の段階をあらわす。この実施例において、チャネル５０がレガシーサービス制御実体４０と位置マネージャ３０との間に配置される。以下により詳細に議論されるように、チャネル５０は、ＰＳＴＮ１００の既存のＶＮＥＴ機能性がＩＰネットワーク１によってアクセスされ、かつ使用されることを可能にする。このように、インテリジェントネットワーク制御データの唯一のイメージが維持される必要がある。
【００１７】
図４は図３に示した統合されたシステム１０の詳細な図である。システム１０は従来の電話１２およびインターネット電話１８を使用して加入者(subscriber)間でテレフォニサービスを提供するよう適用される。この発明に従う呼び出しのための信号送信および媒体はパケット交換ネットワーク１上で少なくとも部分的に転送される。
【００１８】
従来の電話１２はＰＢＸ１４およびＩＰテレフォニゲートウェイ１６のような従来の電話交換装置を介してＩＰネットワーク１に接続される。ＩＰテレフォニゲートウェイ２１は、各々が（図示のない）信号送信ゲートウェイおよび（図示のない）媒体ゲートウェイを含む。信号送信ゲートウェイはＳＳ７のようなＰＳＴＮテレフォニ信号送信、メッセージおよびＨ．３２３のようなプロトコルにおけるＩＰテレフォニ信号送信メッセージ、セッション開始プロトコル（ＳＩＰ）等、との間で双方向の変換を提供する。媒体ゲートウェイは時分割多重化（ＴＤＭ）信号とリアルタイム転送プロトコル（ＲＴＰ）のようなプロトコルにおけるＩＰ転送パケットとの間で双方向の変換を提供する。ＩＰ電話１８はローカルエリアネットワークを介してインターネットに直接、またはインターネットサービスプロバイダーを介してモデム接続によって接続されてもよい。
【００１９】
一般に、呼び出し信号送信および媒体は入り口ＩＰテレフォニゲートウェイ１６と出口ＩＰテレフォニゲートウェイ１６´との間でインターネット１を介して転送される。典型的には、ルーティング(routing)情報が、ＳＩＰプロキシサーバ２２またはＨ．３２３ゲートウェイキーパー２４のようなプロキシサーバによって供給される。ＳＩＰプロトコルにおいては、ＩＮＶＩＴＥメッセージが入り口ＩＰテレフォニゲートウェイ１６からＳＩＰプロキシサーバ２２へ呼び出された当事者を特定して送信される。ＩＰ呼び出し設定（setup)信号送信メッセージはＩＰテレフォニゲートウェイ１６とＳＩＰプロキシサーバ２２との間で呼び出しが設定されるまで往復して送信される。図４において、ＳＩＰプロキシサーバ２２とＨ．３２３ゲートウェイキーパー２４は呼び出し制御実体２０において結合されるに示される。示されているように、ＳＩＰプロキシサーバ２２とＨ．３２３ゲートウェイキーパー２４はピアツーピア制御要素である。別の実施例においては、これらの制御要素は階層的アーキテクチャに設定されている。このように、呼び出し制御サーバ２０は、ＳＩＰがより高レベルのプロトコルであり、ルーティング情報がＳＩＰに変換されるように、Ｈ．３２３／ＳＩＰ変換器を含む。
【００２０】
プロキシサーバ２２および２４は、自分自身ではインテリジェントネットワークサービスを要求する呼び出しを処理できない。インテリジェントネットワークサービスを要求する呼び出しの例は、「８００」番号呼び出し、仮想私設網（ＶＮＥＴ）呼び出し、ローカル番号携帯呼び出し、呼び出し転送呼び出しなどである。従来のＰＳＴＮテレフォニにおいては、スイッチは、呼び出しを適切に経路制御するために、番号変換のような、ルーティング情報のために、サービス制御ポイント（ＳＣＰ）として知られているサービス制御実体を調べる。
【００２１】
システム１０はＳＰＣまたはＤＡＰであってもよい、一般に４０で示されるレガシーＰＳＴＮシステムサービス制御実体を使用する。システム１０は、位置マネージャ３０を含み、位置マネージャ３０は、エイリアスソリューション(alias solution)、ゲートウェイ選択、呼び出し制御実体２０への移動管理サービス、および呼び出し制御実体２０のための、ＶＮＥＴおよびローカル番号携帯性サービスのような、サービス制御実体４０へのアクセスを提供する。
【００２２】
位置マネージャ３０はＳＩＰリダイレクトサーバとして機能する。リダイレクトサーバはＳＩＰ要求を受け、要求された当事者を０以上のアドレスにマップ化し、これらのアドレスをプロキシサーバ２２に戻すサーバである。インテリジェントネットワークサービスを要求しないような通常の呼び出しに対しては、位置マネージャ３０は出口ＩＰテレフォニゲートウェイ１６´で呼ばれた当事者のアドレスを知り、これらのアドレスをプロキシサーバ２２に戻す。インテリジェントネットワークサービスを要求するような呼び出しに対しては、位置マネージャ３０は、必要であれば、呼ばれた当事者に対するアドレス情報を得るためにレガシーサービス制御実体４０にアクセスする。位置マネージャ３０は、それから呼び出し制御実体４０の適切なサーバに対してアドレス情報を戻す。この発明のある実施例においては、レガシーサービス制御実体４０への位置マネージャ３０からの要求はレガシーサービス制御実体４０に対して完全にトランスペアレントである。言い換えると、レガシーサービス制御実体４０は位置マネージャ３０からかまたはＰＳＴＮ実態からどちらから要求が来たのかということを判定できない。位置マネージャ３０が要求を送信したとき、それはＰＳＴＮアドレスをエミュレートする番号パン(pan)を採用する。サービス制御実体はＩＰアドレスについては何の知識もない。位置マネージャ３０によって受信された応答はＰＳＴＮアドレスである。このように、この実施例においては、位置マネージャ３０は、スイッチ−ＩＤ／トランクグループのようなＰＳＴＮアドレスをＩＰアドレスにクロスマップ化する表を備えている。この実施例のある顕著な特徴は、ＰＳＴＮが変更されず、ＰＳＴＮに事実上衝撃がかからないということである。しかしながら、別の実施例においては、レガシーサービス制御実体４０はＩＰアドレスを認識するよう再設定される。この実施例においては、両方のネットワーク呼び出し制御システムが修正される。
【００２３】
この発明のある実施例においては、Ｈ．３２３ゲートキーパー２４はＳＩＰおよびＨ．３２３プロトコル間で適応(adaptation)を提供する。このように、Ｈ．３２３ゲートキーパー２４はＨ．３２３プロトコルで、Ｈ．３２３ＩＰテレフォニゲートウェイおよびインターネット装置と、ＳＩＰプロトコルで、ＳＩＰＩＰテレフォニゲートウェイ、インターネット装置および位置マネージャ３０と通信する。
【００２４】
図５にもどって、ＰＢＸ１４はＩＰテレフォニゲートウェイ１６に設定メッセージ３３を送信する。ＩＰテレフォニゲートウェイ１６は、設定メッセージ３３をＳＩＰプロキシーサーバー２２にアドレスされたＳＩＰ  ＩＮＶＩＴＥ要求３５にマップ化する。ＳＩＰプロキシーサーバー２２はそれ自身ではＶＮＥＴ呼び出しに対して設定を処理することはできない。従って、ＳＩＰプロキシサーバ２２はＳＩＰ  ＩＮＶＩＴＥ要求３７を位置マネージャ３０でダイヤルされた番号に送信する。
【００２５】
ＩＮＶＩＴＥ要求３７を受信すると、位置マネージャ３０は、サービス制御実体４０にルーティング要求３９を問い合わせる。サービス制御実体４０はデータ検査を実行し、ルーティング応答４１で位置マネージャ３０に応答する。位置マネージャ３０は応答４１をＳＩＰプロキシサーバ２２に向けられる、ＳＩＰ３０２一時的に除去された応答４３にマップ化する。応答４３はＳＩＰプロキシーサーバー２２に、出口ＩＰテレフォニゲートウェイ１６´で、呼ばれた当事者に対してＩＰアドレスを提供する。従って、ＳＩＰプロキシサーバ２２はＩＮＶＩＴＥ要求４５を出口ＩＰテレフォニゲートウェイ１６´で、呼ばれた当事者に送信する。
【００２６】
ＩＮＶＩＴＥ要求４５を受信すると、出口ＩＰテレフォニゲートウェイ１６´は設定メッセージ４７をＰＢＸ１４´に送信する。ＰＢＸ１４´が呼ばれた当事者の線を鳴らすと、ＰＢＸ１４´は警告メッセージ４９を出口ＩＰテレフォニゲートウェイ１６´に戻す。出口ＩＰテレフォニゲートウェイ１６´はそれからＳＩＰ１８０リンギングメッセージ５１をＳＩＰプロキシサーバ２２に戻す。ＳＩＰプロキシーサーバー２２は、次にＳＩＰ１８０リンギング応答５３を入り口ＩＰテレフォニゲートウェイ１６に送信する。入り口ＩＰテレフォニゲートウェイ１６は、それから呼出音を呼び出し当事者に提供するＰＢＸ１４に対して警告メッセージ５５を送信する。呼び出しされた当事者が返事をした時、ＰＢＸ１４´は接続メッセージ５７を出口ＩＰテレフォニゲートウェイ１６´に送信する。出口ＩＰテレフォニゲートウェイ１６´は順にＳＩＰプロキシサーバ２２にＳＩＰ２００ＯＫ応答５９を送信する。プロキシサーバ２２は２００ＯＫ応答６１を入り口ＩＰテレフォニゲートウェイ１６に送信する。応答６１を受信すると、入り口ＩＰテレフォニゲートウェイ１６は接続メッセージ６３をＰＢＸ１４に、また、ＳＩＰ  ＡＣＫ要求６５をＳＩＰプロキシサーバ２２に送信する。ＳＩＰプロキシ−サーバー２２はＡＣＫ要求６７を出口ＩＰテレフォニゲートウェイ１６´に送信し、ＶＮＴＥセッションが確立する。
【００２７】
ＶＮＥＴセッションが一度確立されると、パケットはＲＴＰ保持者６８を介してＩＰネットワーク１を通して転送される。ＲＴＰは、対話式の音声のような、リアルタイム特性を有しているデータに対して、端末間の配送サービス（例えば、ゲートウェイ１６とゲートウェイ１６´との間）を提供する。ＲＴＰヘッダは、タイミング情報と受信者が起点によって生成されたタイミングを再構成できるシーケンス番号を含む。タイミング再構成はセッションにおいてＲＴＰパケットの各起点に対して別々に実行される。シーケンス番号は、どれほど多くのパケットが失われたかということを評価するために受信者によって使用されうる。企業ゲートウェイ１６はパケット交換ネットワークおよびＰＢＸ１４における回線交換環境との間のインターフェイスを提供する。
【００２８】
ＶＮＥＴセッションの終了時に、呼ばれた当事者は中断し、ＰＢＸ´は出口ＩＰテレフォニゲートウェイ１６´に対して解放メッセージ６９を送信する。出口ＩＰテレフォニゲートウェイ１６´は解放(release)６９をＳＩＰプロキシ−サーバー２２で呼び出し当事者に対してアドレスされたＳＩＰ  ＢＹＥ要求７１にマップ化する。ＳＩＰプロキシサーバ２２は、それからＢＹＥ要求７３を入り口ＩＰテレフォニゲートウェイ１６で呼び出し当事者に送信する。入り口ＩＰテレフォニゲートウェイ１６は呼び出しを終了するためにＰＢＸ１４に対して解放メッセージ７０を送信する。入り口ＩＰテレフォニゲートウェイ１６はＳＩＰプロキシサーバ２２にＡＣＫ要求７７を送信する。ＳＩＰプロキシサーバ２２はＡＣＫ要求７９を出口ＩＰゲートウェイ１６´に送信する。ＳＩＰプロキシサーバ２２は適切な請求権限にセッションの詳細レコード８１をまた送信する。
【００２９】
図６を参照して、そこでは入り口ＩＰテレフォニゲートウェイ１６の信号送信ゲートウェイがＨ．３２３プロトコルを使用している。ＰＢＸ１４は設定メッセージ８３を入り口ＩＰテレフォニゲートウェイ１６に送信する。入り口ＩＰテレフォニゲートウェイ１６は設定メッセージ８３を、Ｈ．３２３ゲートキーパ２４にアドレスされたＨ．３２３ＡＲＱメッセージ８５にマップ化する。Ｈ．３２３ゲートキーパ２４はメッセージ８５に対してＨ．３２３ＡＣＦメッセージ８７で応答する。メッセージ８７を受信すると、入り口ＩＰテレフォニゲートウェイ１６はゲートキーパ２４にＨ．３２３設定メッセージ１９を送信する。Ｈ．３２３ゲートキーパ２４はそれ自身ではＶＮＥＴ呼び出しに対して設定を処理できない。従って、Ｈ．３２３ゲートキーパ２４はＳＩＰ  ＩＮＶＩＴＥ要求９１を位置マネージャ３０でダイヤルされた番号に送信する。
【００３０】
ＩＮＶＩＴＥ要求９１を受信すると、位置マネージャ３０はサービス制御実体４０にルーティング要求９３を問い合わせる。サービス制御実体４０はデータ検査を実行し位置マネージャ３０に対してルーティング応答９５で応答する。位置マネージャ３０は、呼び出しが出口ＩＰテレフォニゲートウェイ１６´で呼ばれた当事者に対して経路制御されるべきであると決定し、ＳＩＰ３０５は一時的移動応答９７をＨ．３２３ゲートキーパ２４に送信する。Ｈ．３２３ゲートキーパ２４はＳＩＰＩＮＶＩＴＥ要求９９を出口ＩＰテレフォニゲートウェイ１６´で呼び出しされた当事者に送信する。ＳＩＰ  ＩＮＶＩＴＥ要求９９を受信すると、出口ＩＰテレフォニゲートウェイ１６´はＰＢＸ１４´に対して設定メッセージ１０１を送信する。ＰＢＸ１４´が呼ばれた当事者の線を鳴らすと、ＰＢＸ１４´は警告メッセージ１０３を出口ＩＰテレフォニゲートウェイ１６´に送信する。出口ＩＰテレフォニゲートウェイ１６´は、それからＳＩＰ１８０リンギングメッセージ１０５をH．３２３ゲートキーパ２４に送信する。H．３２３ゲートキーパ２４はH．３２３警告メッセージ１０７を入り口ＩＰテレフォニゲートウェイ１６へ順に送信する。入り口ＩＰテレフォニゲートウェイ１６は、警告メッセージ１０９を呼出音を呼び出し当事者に提供するＰＢＸ１４にそれから送信する。呼び出しされた当事者が応答したとき、ＰＢＸ１４´は接続メッセージ１１１を出口ＩＰテレフォニゲートウェイ１６´に送信する。出口ＩＰテレフォニゲートウェイ１６´は次に、ＳＩＰ２００ＯＫ応答１１３をＨ．３２３ゲートキーパ２４に送信する。Ｈ．３２３ゲートキーパ２４はＨ．３２３接続メッセージ１１５を入り口ＩＰテレフォニゲートウェイ１６に、また、ＳＩＰＡＣＫ要求１１６を出口ＩＰテレフォニゲートウェイ１６´に送信する。メッセージ１１５を受信すると、入り口ＩＰテレフォニゲートウェイ１６は、接続メッセージ１１７をＰＢＸ１４に送信し、ＶＮＥＴセッションが確立される。
【００３１】
ＶＮＥＴセッションが確立された後で、パケットはＲＴＰ保持器１１８を介してＩＰネットワーク１を通って送信される。図５に関して上で議論したように、ＲＴＰ保持器１１８は（例えばゲートウェイ１６とゲートウェイ１６´との間で）セッションのための端末間のパケット配送サービスを提供する。再び、企業ゲートウェイ１６はパケット交換ネットワーク１とＰＢＸ１４にある回線交換環境との間でインターフェイスを提供する。
【００３２】
ＶＮＥＴセッションの終了時に、呼ばれた当事者は中止し、ＰＢＸ１４´はゲートウェイ１６´に対して解放メッセージ１１９を送信する。ゲートウェイ１６´は解放１１９をH．３２３ゲートキーパ２４で呼び出し当事者に対してアドレスされたＳＩＰ  ＢＹＥ要求１２１にマップ化する。H．３２３ゲートキーパー２４はH．３２３解放メッセージ１２３を入り口ＩＰテレフォニゲートウェイ１６で呼び出し当事者に送信し、ＳＩＰ  ＡＣＫ要求１２４を出口ＩＰテレフォニゲートウェイ１６´に送信する。入り口ＩＰテレフォニゲートウェイ１６は呼び出しを終了するためにＰＢＸ１４に対して解放メッセージ１２５を送信する。Ｈ．３２３プロトコルに従って、セッションの終了時にはH．３２３ゲートキーパー２４が入り口ＩＰテレフォニゲートウェイ１６に解放要求１２７を送信し、ＩＰテレフォニゲートウェイ１６は解放確認１２９で応答する。それからＨ．３２３ゲートキーパー２４は入り口ＩＰテレフォニゲートウェイ１６に終了セッション命令１３１を送信し、ＩＰテレフォニゲートウェイ１６は終了セッションコマンドＡＣＫ１３３で応答する。Ｈ．３２３ゲートキーパー２４は、適切な請求権限に対してセッションの詳細なレコード１３５を送信する。
【００３３】
ここで具体化され図７に示されているように、システム１０の代わりの実施例が示されている。図３−６に関して上で提供されている、ＰＳＴＮ１００、ＩＰネットワーク１、呼び出し制御実体２０、位置マネージャ３０およびサービス制御実体４０の説明は図７にも同様に適用される。図７に示された実施例は、チャネル５０がＰＳＴＮネットワークサービス制御実体４０をＩＰネットワーク位置マネージャ３０に接続するために安全チャネル５００と置き換えられているという点で、図３−６に示された実施例と異なっている。安全チャネル５００は、サービスコントロール実体４０から位置マネージャ３０に対して、インテリジェントネットワーク制御データを安全に送信するよう設定され、位置マネージャ３０が呼び出し制御実体２０にＰＳＴＮに基づくインテリジェントネットワーク制御サービスデータを提供することを可能にする。安全チャネル５００は、全部とは言わないまでも、ＰＳＴＮに基づくインテリジェントネットワークサービスにＩＰテレフォニ呼び出しを提供することに関する多くの安全性の問題に対処する。このように、スプーフィング、盗聴およびパケットヘッダーまたはＩＰデータペイロードを操作することによってセッションを選出する試みは実質的に除去されうる。
【００３４】
図８を参照して、位置マネージャ３０とサービス制御実体４０との間で確立された安全チャネル５００のブロック図が開示されている。位置マネージャ３０はルータ３２に接続されている。ルータ３２はＩＰネットワークバックボーンに１５０に接続されている。ＩＰネットワークバックボーンはルータ３２とルータ４２との間でパケットを転送する。安全トンネル５２はバックボーン１５０においてインテリジェントネットワークサービスを搬送するパケットをカプセル化することによって実行される。ルータ４２はサービス制御実体４０に双方向に接続されている。図２および図３ならびに関連するテキストを参照して、ＶＮＥＴデータが位置マネージャ３０とサービス制御実体４０との間で送信されると、安全トンネル５２が採用される。
【００３５】
安全トンネル５２は任意の適切な形態でよいが、例としてルータ３２およびルータ４２で実行されるＩＰセック(IPsec)トンネルが示されている。当業者は、ＩＰセックはＩＥＴＦによって開発された一組のプロトコルである、ということを認識する。ＩＰセックは認証ヘッダ（ＡＨ）プロトコルおよびカプセル化安全ペイロード（ＥＳＰ）プロトコルとを含む。安全トンネル５２はオリジナルパケットをトンネルパケットにカプセル化する方法を言う。トンネルパケットは、パケットの現実の起点または宛先が情報のフローに応じて、実際は位置マネージャ３０またはサービス制御実体４０であるということを明らかにすることなく、パケットがルータ３２からルータ４２へ搬送されるのを可能にするようなルーティング情報を提供する。
【００３６】
認証ヘッダ（ＡＨ）プロトコルの使用は、パケットが送信中に変更されたり干渉されないという確かさの非常に高い程度を提供する。ＡＨプロトコルはパケットの受信者がパケットの送信者を確認するのを可能にする。そうするにあたって、ＡＨプロトコルはＭＤ５、米国政府の安全ハッシュアルゴリズム、または任意の他の適切なアルゴリズムを採用してもよい。ＡＨプロトコルは、パケットペイロードが機密性を要求する時ＥＳＰと組み合わせて使用されうる。ＥＳＰは、パケットレベルでＩＰデータを暗号化するための対照的な暗号アルゴリズムを使用したプロトコルである。例えば、５６ビットデータ暗号化標準（ＤＥＳ）アルゴリズムはペイロードを暗号化するために使用されうる。安全トンネル５２の好ましい実施例において、パケット認証の提供およびパケットペイロードに搬送されたインテリジェントネットワークサービスデータを暗号化するために好ましいため、ＥＳＰプロトコルが、採用されている。ある実施例において、ＥＳＰプロトコルはゼロでない暗号化、認証およびリプレイアタック防止モードを可能にするために提供される。
【００３７】
ある実施例において、ルータ３２とルータ４２との間の物理的接続は中央オフィスサイトにおいて単一のポイントオブプレゼンス（ＰｏＰ）内で配置されたファイバを含む。しかしながら、物理的接続は、もしコロケーション(collocation)が可能でなければ、ＩＰバックボーン１５０内で、ルータ３２とルータ４２間で、任意の信頼性のある経路になりうる。例えば、物理的経路は長距離の信頼性のあるＴＤＭリンクを使用して実施されてもよい。
【００３８】
ルータ３２およびルータ４２は任意の適切な形式であってもよいが、例としてＣＩＳＣＯによって製造された形式のルータが示されている。各トンネルの暗号キーはルータにマニュアルで設定されてもよい。認証しない全てのパケットは落とされる。ルータは認証の失敗のためにおとされたパケットの数を追跡するよう、また設定されてもよい。
【００３９】
ＩＰネットワークバックボーン１５０は任意の適切な形式であってもよいが、例として６２２ＭＢ／秒（ＯＣ−１２）で動作する全国的な高速ネットワークを含むネットワークが示されている。バックボーン１５０は一般に非同期転送モード（ＡＴＭ）として一般に知られている進化したパケット交換技術を採用してもよい。バックボーン１５０は同期光ネットワーク（ＳＯＮＥＴ）と呼ばれる光ファイバー送信技術をまた使用してもよい。ＡＴＭおよびＳＯＮＥＴの組み合わせは、音声、データおよびビデオ信号を要求に応じて組み合わせ、高速、大容量での送信を可能にする。バックボーン１５０の高速はＡＴＭ引き換えマトリックスを介してインターネットプロトコルに接続しかつこの組み合わせをＳＯＮＥＴネットワークで実行することによって達成される。
【００４０】
当業者にとって、各種修正および変形が発明の精神および範囲から離れることなく、この発明に対してなされうることは明らかである。このように、この発明は添付のクレームおよびその均等物の範囲内にある限り、この発明の修正および変形はこの発明によってカバーされることが意図される。
【図面の簡単な説明】
【００４１】
【図１】統合前のＰＳＴＮおよびパケット交換ネットワークを示すブロック図である。
【図２】統合されたネットワークの第一ステージを示すブロック図である。
【図３】この発明の第一実施例に従う統合されたネットワークのブロック図である。
【図４】図３に示された統合されたシステムの詳細を示す図である。
【図５】この発明のある実施例に従う仮想施設網（ＶＮＥＴ）呼び出しを処理するための呼び出しフローチャートである。
【図６】この発明の別の実施例に従う仮想施設網（ＶＮＥＴ）呼び出しを処理するための呼び出しフローチャートである。
【図７】この発明の第２実施例に従う統合されたネットワークのブロック図である。
【図８】図７に示された位置マネージャとサービス制御実体との間に確立された安全チャネルのブロック図である。
【図１】
2004530333.tif 000003
【図２】
2004530333.tif 000004
【図３】
2004530333.tif 000005
【図４】
2004530333.tif 000006
【図５】
2004530333.tif 000007
【図６】
2004530333.tif 000008
【図７】
2004530333.tif 000009
【図８】
2004530333.tif 000010
【国際公開パンフレット】
2004530333.tif 000011
2004530333.tif 000012
2004530333.tif 000013
2004530333.tif 000014
2004530333.tif 000015
2004530333.tif 000016
2004530333.tif 000017
2004530333.tif 000018
2004530333.tif 000019
2004530333.tif 000020
2004530333.tif 000021
2004530333.tif 000022
2004530333.tif 000023
2004530333.tif 000024
2004530333.tif 000025
2004530333.tif 000026
2004530333.tif 000027
2004530333.tif 000028
2004530333.tif 000029
2004530333.tif 000030
2004530333.tif 000031
2004530333.tif 000032
2004530333.tif 000033
2004530333.tif 000034
2004530333.tif 000035
2004530333.tif 000036
2004530333.tif 000037
2004530333.tif 000038
2004530333.tif 000039
2004530333.tif 000040
2004530333.tif 000041
【国際公開パンフレット（コレクトバージョン）】
2004530333.tif 000042
2004530333.tif 000043
【国際調査報告】
2004530333.tif 000044